(57)【要約】【課題】  特別な操作も必要なく紙面上に消しくずを発生させずに紙面上の筆跡をきれいに消すことができる字消し用具を提供する。【解決手段】  片方向のみ回転できるタイヤ型消しゴムとし、必要に応じて、消しくずを長期に回収できるロール型粘着テープを消しゴムに接触させる。【選択図】図３
2007131001.tif 000002
【特許請求の範囲】
【請求項１】
消しゴムと消しゴム保持具を含有する字消し用具であって、紙面上で字消し用具を往復させて筆跡を消そうとするとき、往復のうちの一方向に動くときは消しゴムが消しゴム保持具に対して回転し、反対方向に動くときは消しゴムが消しゴム保持具に対して回転しないようにした字消し用具。
【請求項２】
消しゴムとロール式粘着テープを接触させることにより、消しゴムの先に付着してくる消しくずを次々と自然に粘着テープに巻き取られるようにすることを特徴とする請求項第１項に記載の字消し用具。
【発明の詳細な説明】
【技術分野】
【０００１】  紙面上の筆跡を消しゴムで消すとき、消しくずが紙面上に発生する。このことは、衛生上よろしくなく、かつ、不快感の原因ともなっている。本発明は、紙面上に消しくずが発生しない字消し用具に関するものである。
【背景技術】
【０００２】  消しゴムと紙面の磨耗により紙面上筆跡を消し取るのでなく、消しゴムを紙面上に自在にころがすことにより、筆跡成分を消しゴムに付着させて、消しくずの出ない字消し用具をつくろうとする試みがあり、それを可能にするために、磨耗成分を消しゴムから抜き取って、磨耗しないようにしたり、付加重合系熱可塑性ブロック弾性体とパラフィン系オイルを主成分とする消しゴムの使用により筆跡成分である黒鉛を消しゴムに付着しやすくする方法がそれぞれ特開２００１−９６９８４号公報と特許第３４０６５１０号公報に挙げられている。しかしながら、これらの方法は、消字性能が従来の磨耗法より非常に弱く、不充分である。消しゴム使用時、消しくずが紙面上に発生しないように、消しゴム中に強磁性成分を含ませ、消しゴム近傍の磁石に消しくずを吸着させるようにする方法が特開平８−３３７０９４号公報と特開平９−６６６９９号公報から提案されている。強磁性成分添加により消字性能が低減し、かつ、発生する消しくずの大きさや形によっては磁力により消しくずを充分取り去ることができす、実用の域に達しない。また、字消し用具そのものではないが、消しゴム使用により紙面上に発生した消しくずを簡便に取り去るために、粘着式ローラーを紙面上に転がすという方法が提案されているが、紙面の剥離が起こりやすく、かつ、紙面上での操作が一つ増えることになり、煩雑さは避けられない。まとめると、従来技術では、消字性能が低いものであったり、消しくず除去のために煩雑な操作が必要だったりし、満足しうるものではなかった。
【特許文献１】特開２００１−９６９８４号公報
【特許文献２】特許第３４０６５１０号公報
【特許文献３】特開平８−３３７０９４号公報
【特許文献４】特開平９−６６６９９号公報
【発明の開示】
【発明が解決しようとする課題】
【０００３】  本発明の課題は、特別な操作も必要なく、紙面上に消しくずを発生させずに紙面上の筆跡をきれいに消すことができる字消し用具を創出することであった。
【課題を解決するための手段】
【０００４】  本発明者は、従来の消しゴムで紙面をこすったとき、ただちに消しくずが紙面上に発生するのでなく、はじめは消しゴムの磨耗面にくっついていることに気づいた。紙面上の筆跡をきれいに消すために何回もこする往復操作をしているうちに消しゴムから消しくずが離れて紙面上にちらばることに気づいた。そこで、１回目の磨耗により消しくずが発生し、付着した消しゴム面を、２回目以降に紙面から離すことができれば、消しくずが紙面上に散らばらないと判断された。更に、本発明者は、特別な、わずらわしい操作を追加せずに、これを可能にする方法はないものかどうかを鋭意検討した結果、消しゴムを自動車のタイヤのように丸型にし、自動車の車体がタイヤの回転軸を介してタイヤを支えるかの如く、消しゴム保持具が回転軸を介して円形の消しゴムを支える構造とし、かつ、回転軸に片方向ストッパーを設けて、片方向のみ回転でき、反対方向は回転できない構造とした。この字消し用具を紙面に押し付けて、紙面に対し水平に往復させると、一つの方向に動くときは、消しゴムがころがらないため、磨耗し、紙面上の筆跡が消え、次に、逆方向に動くときは、消しゴムにくっついた消しくずが消しゴムとともに回転し、紙面から離れて上部に運ばれるという作業が自然と繰り返されるようになるため、従来の消しゴムと同じ紙面上往復操作だけで、紙面上に散らばらず、筆跡がきれいに消えることがわかった。更に、その断面円形型消しゴムにロール式粘着テープを接触させる器具とした場合、紙面上往復操作だけで、上部に上がってきた消しくずが粘着テープとの接触部位で粘着テープに巻き取られるようになるため、長時間使用しても消しくずが発生しないようになることがわかった。
【発明の効果】
【０００５】  本発明の消しゴム含有器具を用いると、紙面上往復操作によって消しくずが消しゴムに巻き取られていくため、消しくずが紙面上に発生せず、かつ、同じ往復操作によって従来からの効果的な磨耗原理による筆跡消失がおこるため、通常の消しゴムと同じ紙面上往復操作だけで、消しくずが紙面上に発生せず、かつ、完全な筆跡消失を行うことができる。
【発明を実施するための最良の形態】
【０００６】  本発明における消しゴムは、自動車のタイヤのように円形又は円形に近い断面を持ち、一方向には転がるが、反対方向には回転せず、紙面をこするという特徴をもつ。その一例を図１に示す。タイヤの形をした消しゴムの側面中央にギヤがくっついており、それらを消しゴム保持具が覆っており、回転軸である棒が両者をつないでいる。ギヤには保持具からストッパーがあてがわれており、ギヤはストッパーの向いている方向には回転できるが、ストッパーの向きに逆らって反対方向には回転できない。この単純な字消し用具が、前述の効果を生む。図２に使用時のプロセスを示す。紙面上に鉛筆で書かれた線を字消し用具で消そうとしている。手で字消し用具を右側に移動させると、ストッパーが効いて消しゴムが転がらず、紙面をこすることになるため、磨耗により筆跡が消去される。次に、手で字消し用具を左側に移動させると、ストッパーが働かないので、消しゴムが転がり、消しゴムの磨耗面にくっついていた消しくずが紙面から離れ、上部に上っていく。手による字消し用具の往復操作だけでこれが順次繰り返され、紙面上に消しくずが発生せず、筆跡をきれいに消すことができる。但し、消しゴム円周面の消しくずが１回転したときは、再び紙面に接することになるが、２，３回転しても、消しくずが紙面上に散らばることがない。７回転も８回転もしたときは、消しゴムにくっついていた消しくずの一部がほぐれて紙面上に散らばることになるため、本字消し用具使用においてはときどき、きれいな消しくず捕集紙上に消しゴム器具をこすりつけることにより、消しゴムにくっついていた消しくずを落としておくとよい。多数回使用により消しくずが紙面上に一時的に発生しても、字消し用具の往復操作中の消しくずの消しゴム円周面への付着・移動効果により紙面をきれいに保つことができる。片方向回転の仕組みは図１のようなストッパーに限定されない。【０００７】  使用回数６、７回に１回程度の消しくず落としの操作すら必要としないのが次の方法である。粘着面を外向きにして巻いたロール型粘着テープが、円形又は円形に近い断面の消しゴムの円周面に接触しており、消しゴム回転時、消しゴム円周面との接触後、別場所にある回転軸に巻き取られていく仕組みを字消し用具に組み込む方法である。図３と図４にその器具断面と作動状態をそれぞれ示す。このメカニズムは、紙＜消しゴム＜粘着テープ  という消しくずの付着力の序列に本発明者が気づいたことと、その消しゴムへの利用の創出によって、初めてなされたものである。図４において、手で字消し用具を右側に移動させると、図２と同様に、磨耗により筆跡が消去され、次に、左側に移動させると、消しゴムが転がり、消しゴム円周面上の消しくずが上部に上っていく。この繰り返し、即ち、往復操作によって、消しゴム円周面上の消しくずが粘着テープとの接触部位に到達すると、付着力の差によって、消しくずが消しゴム面から粘着テープ面に移る。字消し用具の使用時の往復操作によって、順次この消しくずが粘着テープに移り、別の回転軸に巻き取られていく。テープの巻き取りが完了するまで、長時間にわたって、字消し用具の通常の紙面上往復操作だけで、消しくずが発生しない消字が可能である。粘着テープのかかわる部分を取付・取外しタイプにしておけば、４，５ヶ月に一度簡便に一対の粘着テープを取り替えるだけでよい。消しくず付着テープの巻き取りがスムーズにいくよう、図３において、ばねを使ってロール型粘着テープが常に消しゴム円周面を押しつけているようにし、かつ、巻き取られた粘着テープがぜんまい式ばねによって時計回りに回転しようとする力が常に働いているようにするとよい。その他、図５の如く、消しゴムの片方向回転の力が二つのロール型粘着テープの回転に直接伝わるように、二つのロール型テープに一つずつ第２、第３のギヤを設け、第２、第３のギヤの間に第４のギヤを設け、消しゴムに付いているギヤを第１ギヤとする場合、第１ギヤ−第２ギヤ、第２ギヤ−第４ギヤ−第３ギヤを連結する方法をとってもよい。使用時にテープのロールの厚みが少しずつ変化することによるテープの進みとギヤの円周方向の進みとのずれについては、次の方法により解消することができる。テープとテープに付いているギヤの間に、ある値以上のトルクがかかると空回りするクッションを設ける方法である。スムーズな回転を達成するためのやり方はこれらに限定されない。粘着テープは消しくずの付着力が非常に強く、消しくずを重ねて付着させることができるので、渦巻き式でなく、巻かれていない筒型のものでもよい。使用回数６，７回に１回程度の消しくず落としの操作を必要としない方法としては粘着テープ法に限らない。円形又は円形に近い断面の消しゴム円周面に接触させるものとして、毛や合成繊維の束からなるはけを設けてもよいし、ステンレス等の金属片又はプラスチック製刃を設けてもよい。これらと消しゴム円周面との接触部位の近傍に消しくず受けを設けるのがよい。消しゴム円周面とともに運ばれてくる消しくずは、その接触部位ではけ、金属片、又はプラスチック刃等によりはき落とされ、近傍の消しくず受けにたまっていくことになる。３，４ヶ月に一度程度満杯になった消しくずをゴミ箱に捨てればよい。消しくずの捕集性が極めて良いという点から、消しゴム円周面に接触させるものは粘着テープがより好ましい。本発明における消しゴムの形は、一方向に回転できるものなら、どのような形でもよい。回転しやすいという点から、その回転軸に垂直な断面の外周形状が円形状のものが非常に好ましい。その例として、消しゴム部材が自動車のタイヤのような円柱状のもの、消しゴム部材が円筒状のもの、円筒状消しゴム部材のくりぬきの部分に消しゴム部材以外の材料が詰まっているもの、消しゴム部材以外の材料と消しゴム部材の両方が外周を構成しているもの、球状消しゴム等が挙げられる。回転軸に垂直な断面の外周形状が、楕円型、正六角形や正八角形等の正多角形、一つの閉じた曲線形、あるいは、それらが組み合わさった形の消しゴムでもよい。上記のような消しゴムは、その断面全体が消しゴム部材で構成されていてもよいが、それは必須条件ではなく、回転軸に垂直な断面における外周のところどころに消しゴム部材以外の材料が出ていてもよい。本発明における、一方向に回転する消しゴムは、上記の外周の条件を満たすことによって、消しゴムとしての消字効果を維持できるので、外周の内側に消しゴム部材があってもなくてもよい。【０００８】図１を例とするような消しくず捕集機構のない字消し用具においては、消しくず落としの頻度の低減の点から、円形又は円形に近い断面の消しゴムの径が１．５ｃｍ以上が好ましく、２ｃｍ以上がより好ましく、２．５ｃｍ以上が更に好ましい。図３を例にとるような消しくず捕集機構のついている消しゴム器具においては、紙面上の往復操作性の点から、円形又は円形に近い断面の消しゴムの径が０．７ｃｍ以上６ｃｍ以下が好ましく、０．７ｃｍ以上５ｃｍ以下がより好ましい。紙面上の消去すべき筆跡の大きさによって上記の好ましさは多少変動する。本発明における字消し用具中の保持具の材質は、上記要件を満たすものであればどのような材質でもよいが、軽くて使いやすいという点からプラスチックが好ましい。本発明の字消し用具における黒鉛の筆跡に対する消しゴムの材質は、従来消しゴムとして使用されてきた材質等が良い。基材樹脂として、塩化ビニル樹脂、塩化ビニルー酢酸ビニル共重合体、ポリイソプレンやポリブタジエン等のポリオレフィン系熱可塑性エラストマー、ポリスチレン系熱可塑性エラストマーやそれらを混合又は共重合させた材料、また、パラフィンオイル等を含有する材料が望ましい。過度な非磨耗系消しゴムにならないよう上記成分を配合するのがよい。使用時消しくずが少しずつ小さくまとまって発生するよう引張り強度や硬度にも考慮して配合するのがよい。塩化ビニル系は、塩素含有により廃棄時安全性が劣るため、特に好ましくはない。本発明の字消し用具は黒鉛の鉛筆で書かれた筆跡の消去用に限定されるものでない。ゴムの性質を有する材料による紙面上擦過によって消去できる筆跡の全てに対して用いることができる。本発明の字消し用具は、カラー鉛筆、クレヨン、インキ、ボールペン、コピーの跡に対しても、円形断面の字消しの材質を選ぶことにより、大なり小なりの消字効果をもたらし、かつ、消しくずを発生しないという好ましい効果をもたらすことができる。そのような材質の一例が、ボールペンの筆跡を消すことのできる砂消しゴムの材質である。
【図面の簡単な説明】
【０００９】
【図１】    本発明の片方向回転式字消し用具を示した図（斜め及び断面の図）である。
【図２】    図１のタイプの字消し用具を紙面上で往復操作したときの機能を示した図である。
【図３】    本発明のロール型粘着テープ付きの片方向回転式字消し用具を示した図（横から見た図）である。
【図４】    図３のタイプのロール型粘着テープ付きの片方向回転式字消し用具を紙面上で往復操作したときの機能を示した図である。
【図５】    図３における消しゴムと二つのロール型粘着テープをギヤで連結した字消し用具を示した図である。
【符号の説明】
【００１０】    １．ストッパー
２．消しゴム保持具
３．ギヤ
４．消しゴム
５．紙面上に鉛筆で書かれた線
６．消しくず
７．ロール型粘着テープ
８．巻き取られた消しくず付着テープ
【図１】
2007131001.tif 000003
【図２】
2007131001.tif 000004
【図３】
2007131001.tif 000005
【図４】
2007131001.tif 000006
【図５】
2007131001.tif 000007